(57)【要約】【課題】日常的に一般の人が接している非インターネット広告のいくつかは、事実上、一過性のものとなっている。【解決手段】コンテンツ（例：広告）配信のためのシステム、方法に関する。ユーザが受信する初期広告は、二次広告を要求するための命令を含む。ユーザは、初期広告に対する応答するための命令に従う。初期広告に対する応答は、デバイスIDを含む。デバイスIDに宛てた二次広告は、ユーザから初期広告への応答を受信することへの応答として提供される。【選択図】図１
2018077916.tif 000002
【特許請求の範囲】
【請求項１】
コンピュータシステムのネットワークインターフェースによって第1のデバイスに、第1の形式の第1のコンテンツのアイテムと、インタラクティブ要素とを送信するステップと、
前記ネットワークインターフェースによって前記第1のデバイスから、デバイスIDおよび前記第1のコンテンツのアイテムの識別証明を含む要求を受信するステップであって、前記要求は、前記インタラクティブ要素とのインタラクションの前記第1のデバイスによる検出に応じて、送信される、ステップと、
前記要求の受信に応じて、前記コンピュータシステムのプロセッサによって実行される変換器によって、前記第1の形式とは異なる第2の形式を識別するステップであって、前記第2の形式は、前記デバイスIDに関連する、ステップと、
前記変換器によって前記要求の受信に応じて、前記第2の形式に変換された前記第1のコンテンツのアイテムを含む応答を生成するステップと、
前記ネットワークインターフェースによって、前記デバイスIDに対応する第2のデバイスに前記応答を送信するステップとを含む、方法。
【請求項２】
前記要求を受信するステップは、前記第1のコンテンツのアイテムのコピーを、前記コンピュータシステムによって、前記第1のデバイスから受信するステップをさらに含む、請求項1に記載の方法。
【請求項３】
前記要求を受信するステップは、テキスト文字列を受信するステップをさらに含み、前記第2の形式を識別するステップは、前記応答から前記テキスト文字列を抽出するステップと、前記抽出したテキスト文字列に基づいて複数の形式から前記第2の形式を選択するステップとをさらに含む、請求項1に記載の方法。
【請求項４】
前記デバイスIDは、前記複数の形式のサブセットに関連し、前記抽出したテキスト文字列に基づいて前記複数の形式の前記サブセットから前記第2の形式を選択するステップをさらに含む、請求項3に記載の方法。
【請求項５】
前記デバイスIDは、送信先アドレスであり、前記第2のデバイスに前記応答を送信するステップは、前記送信先アドレスに前記応答を送信するステップをさらに含む、請求項1に記載の方法。
【請求項６】
前記第1の形式は、音声であり、前記第2の形式は、テキストであり、前記応答を生成するステップは、前記コンピュータシステムのスピーチテキスト変換エンジンによって、前記第1のコンテンツのアイテムの音声をテキストに変換するステップをさらに含む、請求項1に記載の方法。
【請求項７】
前記第2の形式は、機械可読コードを含み、前記第2のデバイスに前記応答を送信するステップは、第3のデバイスへの前記第2のデバイスによる配信のための前記機械可読コードを含む前記応答を送信するステップをさらに含む、請求項1に記載の方法。
【請求項８】
前記インタラクティブ要素は、入力ボックスを含み、前記要求を受信するステップは、前記入力ボックスにおける前記デバイスIDの入力に応じて前記デバイスIDを受信するステップをさらに含む、請求項1に記載の方法。
【請求項９】
変換器を実行する、プロセッサと、
ネットワークインターフェースと、
第1のコンテンツのアイテムを含む、ストレージデバイスとを含み、
前記ネットワークインターフェースは、
第1のデバイスに、第1の形式の第1のコンテンツのアイテムと、インタラクティブ要素とを送信し、
前記第1のデバイスから、デバイスIDおよび前記第1のコンテンツのアイテムの識別証明を含む要求を受信することであって、前記要求は、前記インタラクティブ要素とのインタラクションに応じて送信される、受信することをするように構成され、
前記変換器は、
前記要求の受信に応じて、前記第1の形式とは異なる第2の形式を識別することであって、前記第2の形式は、前記デバイスIDに関連する、識別することをし、
前記要求の受信に応じて、前記第2の形式に変換された前記第1のコンテンツのアイテムを含む応答を生成するように構成され、
前記ネットワークインターフェースは、前記デバイスIDに対応する第2のデバイスに前記応答を送信するようにさらに構成される、システム。
【請求項１０】
前記ネットワークインターフェースは、前記第1のコンテンツのアイテムのコピーを前記第1のデバイスから受信するようにさらに構成される、請求項9に記載のシステム。
【請求項１１】
前記ネットワークインターフェースは、テキスト文字列を受信するようにさらに構成され、前記変換器は、前記応答から前記テキスト文字列を抽出し、前記抽出したテキスト文字列に基づいて複数の形式から前記第2の形式を選択するようにさらに構成される、請求項9に記載のシステム。
【請求項１２】
前記デバイスIDは、前記複数の形式のサブセットに関連し、前記変換器は、前記抽出したテキスト文字列に基づいて前記複数の形式の前記サブセットから前記第2の形式を選択するようにさらに構成される、請求項11に記載のシステム。
【請求項１３】
前記デバイスIDは、送信先アドレスであり、前記ネットワークインターフェースは、前記送信先アドレスに前記応答を送信するようにさらに構成される、請求項9に記載のシステム。
【請求項１４】
前記第1の形式は、音声であり、前記第2の形式は、テキストであり、前記変換器は、前記第1のコンテンツのアイテムの音声をテキストに変換するようにさらに構成される、請求項9に記載のシステム。
【請求項１５】
前記第2の形式は、機械可読コードを含み、前記ネットワークインターフェースは、第3のデバイスへの前記第2のデバイスによる配信のための前記機械可読コードを含む前記応答を送信するようにさらに構成される、請求項9に記載のシステム。
【請求項１６】
前記インタラクティブ要素は、入力ボックスを含み、前記変換モジュールは、前記入力ボックスにおける前記デバイスIDの入力に応じて前記デバイスIDを受信するようにさらに構成される、請求項9に記載のシステム。
【請求項１７】
第1のデバイスのネットワークインターフェースによってコンピュータシステムから、第1の形式の第1のコンテンツのアイテムと、インタラクティブ要素とを受信するステップと、
前記第1のデバイスによって、前記インタラクティブ要素とのインタラクションを受信するステップと、
前記ネットワークインターフェースによって前記コンピュータシステムに、前記インタラクションに応じて、デバイスIDおよび前記第1のコンテンツのアイテムの識別証明を含む要求を送信するステップとを含み、前記要求の受信は、前記コンピュータシステムに、
前記第1の形式とは異なる第2の形式を識別することであって、前記第2の形式は、前記デバイスIDに関連する、識別することと、
前記第2の形式に変換された前記第1のコンテンツのアイテムを含む応答を生成することと、
前記デバイスIDに対応する第2のデバイスに前記応答を送信することとをトリガする、方法。
【請求項１８】
前記ネットワークインターフェースによって前記コンピュータシステムに、前記要求に関連する前記第1のコンテンツのアイテムのコピーを送信するステップをさらに含む、請求項17に記載の方法。
【請求項１９】
前記ネットワークインターフェースによって前記コンピュータシステムに、前記要求の一部としてテキスト文字列を送信するステップであって、前記テキスト文字列は、前記第2の形式に関連する、ステップをさらに含み、前記コンピュータシステムによる前記要求の受信は、前記コンピュータシステムに、
前記応答から前記テキスト文字列を抽出することと、
前記抽出したテキスト文字列に基づいて複数の形式から前記第2の形式を選択することとをさらにさせる、請求項17に記載の方法。
【請求項２０】
前記デバイスIDは、前記複数の形式のサブセットに関連し、前記コンピュータシステムによる前記要求の受信は、前記コンピュータシステムに、前記抽出したテキスト文字列に基づいて前記複数の形式の前記サブセットから前記第2の形式を選択することをさらにさせる、請求項19に記載の方法。
【発明の詳細な説明】
【技術分野】
【０００１】
本発明は、情報配信に関する。
【背景技術】
【０００２】
日常的に一般の人が接している非インターネット広告のいくつかは、事実上、一過性のものとなっている。ユーザは、ラジオを聞いたり、携帯ゲームで遊んでいたり、又は雑誌を読んでいたりしている最中に広告を提示されると、ユーザは直ぐにコンテンツ（広告）の影響を受けるか、影響なく今までしていたことを続けるかのどちらかに違いない。
【発明の概要】
【課題を解決するための手段】
【０００３】
コンテンツ（例：広告）配信のためのシステム、方法、及びコンピュータ読取可能メディアを提供する。システム例は、初期広告（initial advertisement）配信モジュールと二次広告（secondary advertisement）配信モジュールとを具備する。初期広告配信モジュールは、初期形式（initial format）でユーザに対して初期広告を提供することが可能である。上記初期広告は、広告主に関する情報と二次形式（secondary format）で広告主から初期広告を要求するための命令とを含んでいてもよい。二次広告配信モジュールは、ユーザから応答を受信することが可能である。上記応答は、ユーザに関連するデバイスIDを含んでいてもよい。上記応答の受信に基づいて、上記二次広告配信モジュールは、例えば、初期広告のフォーマット変換を含む二次広告を提供することが可能である。該二次広告は、上記デバイスIDに宛てたものである。上記二次広告は、二次形式の初期広告であってもよい。
【０００４】
例えば、コンテンツサービスを提供するための方法は、ユーザに広告を提供する段階と、ユーザから応答を受信する段階と、ユーザから受信したデバイスIDに宛てたメッセージを生成する段階と、デバイスIDに関連するデバイスに、メッセージを提供する段階とを具備し、該広告は、広告主に関連するとともに、該広告主に関連する情報と該広告主からメッセージ形式で広告を受信することを目的として応答するための誘因（invitation）を含み、該応答は、該ユーザに関連するデバイスIDを含み、該メッセージは、メッセージフォーマットで生成され、該メッセージは、その後のアクションで広告を保存する手段をユーザに提供する。
【０００５】
他の構成も開示している。そこでは、システム、方法、装置、コンピュータ読取可能メディア、及びユーザインターフェース向けの構成を含んでいる。
【図面の簡単な説明】
【０００６】
【図１】コンテンツ配信を提供可能とするネットワークアーキテクチャ例のブロック図である。
【図２】広告サーバ例のブロック図である。
【図３】コンテンツを提供するための方法例のフローチャートである。
【発明を実施するための形態】
【０００７】
二次広告は、初期広告を受信したユーザが、二次コンテンツ、又は追加コンテンツを要求する初期広告に応答することを可能にする。ある実施形態において、上記応答は、ユーザに関連するデバイスIDを示すものを含んでいてもよい。ある実施形態において、広告サーバは、ユーザからの初期広告に対する応答の受信に基づいて、ユーザにメッセージベース広告を含む二次コンテンツを提供してもよい。様々な実施形態において、上記メッセージベース広告は、初期広告のフォーマット変換をであってもよいし、又は広告主によって作成された完全に別のメッセージベース広告であってもよい。広告を参照する場合、コンテンツの別形式を、スポンサー付きコンテンツの別形式で配信してもよい。その上、メッセージシステム、及びメッセージシステムを経由した広告の配信を参照する場合、別形式の配信が可能である。
【０００８】
図１は、メッセージベース広告を提供可能とするネットワークアーキテクチャ例のブロック図である。アーキテクチャは、広告サーバ１００と、広告主１１０と、パブリッシャ（publisher）１２０と、ユーザ１３０と、ネットワーク１４０とを具備している。上記パブリッシャ１２０は、上記ユーザ１３０にコンテンツを提供することが可能である。上記パブリッシャ１２０によって配信されたコンテンツは、広告を受信するユーザと事前に接触することなく送信されたあらゆる形式のメディアを含むことが可能である。上記メディアは、テレビ広告、ラジオ広告、出版広告、及びウェブベース広告（例えば、テキスト広告、グラフィカルな広告、音声広告など）などである。
【０００９】
ある実施形態において、上記パブリッシャ１２０は、ネットワーク１４０を介してパブリッシャ１２０によって提供されるサービスに加入したユーザ１３０にコンテンツを提供してもよい。例えば、ユーザ１３０は、ニュース、又はスポーツのスコアを受信するためにCNN、又はESPNのようなニュース記事サービスに加入してもよい。他の実施形態において、パブリッシャは、サーチエンジンであってもよい。例えば、上記サーチエンジンは、クエリを受信してもよいし、且つ該クエリに対する応答（例：サービス）をしてもよい。更にさらなる実施形態において、パブリッシャ１２０は、申し込みが無くてもコンテンツを配信してもよい。ユーザは、配信されているものにアクセスすることによって該コンテンツを受信してもよい。
【００１０】
ある実施形態において、上記パブリッシャ１２０は、コンテンツと共にユーザ１３０に対して提供される広告に基づいたコンテンツを提供することにより収益を得てもよい。上記実施形態において、パブリッシャ１２０は、コンテンツがユーザ１３０（例：加入者、検索者など）に提供される場合、例えば、コンテンツ（例：ニュース記事、スポーツのスコア、検索結果、コンテンツ配信など）に対し／と共に広告を、後付したり、先付けしたり、又あるいは挿入したりすることによってコンテンツを追加してもよい。
【００１１】
上記広告を、広告サーバ１００によってパブリッシャ１２０に対して供給してもよい。ある実施形態において、コンテンツに含めるものとして選択された広告は、ユーザ１３０に提供されているコンテンツに基づいていてもよい。例えば、ユーザに提供されるコンテンツにフットボールのスコアがあれば、上記選択された広告は、フットボールに関連したもの（例：スポーツ用品店）になる。他の実施形態において、コンテンツは、広告対象層（demographic）に関連付けられていてもよい。広告を、コンテンツに関連する広告対象層に基づき選択してもよい。例えば、ユーザに提供されるコンテンツにスケートボードが関連していれば、スケートボードに関連する上記広告対象層は、郊外在住の１０代となるであろう。郊外在住の１０代は、例えば家具の広告には興味を持たないかもしれないが、代わりにスケートボード専門店、又はその広告対象層を満足させる別の小売店に興味を持つかもしれない。
【００１２】
上記広告を、広告主１１０によって作成してもよい。ある実施形態において、広告主１１０は、初期広告を作成するために広告サーバ１００と情報をやりとりするための広告作成インターフェースを用いてもよい。その上、上記広告主１１０は、初期広告に関連する二次広告を作成するために二次広告作成インターフェースと情報をやりとりしてもよい。上記二次広告作成インターフェースは、上記広告主１１０が、初期広告に対するユーザ１３０の応答に基づいてユーザ１３０に対する提供を可能とする一又は二以上の二次広告を作成できるようにすることを可能にする。様々な実施形態において、二次広告を、例えば一又は二以上のゲートウェイデバイスを介するものも含め、広告サーバからの通信を受信することができるあらゆるコンピュータデバイス又はストレージデバイスに対して提供してもよい。上記のコンピュータデバイスは、モバイルデバイス（例：携帯電話、ラップトップコンピュータ、個人情報端末（PDA）など）、ステイショナリコンピュータ、電子メール（e-mail）アカウントなどであってもよい。
【００１３】
ある実施形態において、初期広告に対する応答は、該応答を送信したユーザ１３０に対して提供される二次広告となってもよい。ある実施形態において、二次広告は、例えばショートメッセージサービス（SMS）又は拡張メッセージサービス（XMS）形式を用いて、ユーザ１３０にテキストメッセージを提供してもよい。他の実施形態において、二次広告は、例えばマルチメディアメッセージングサービス（MMS）形式を用いて、ユーザ１３０にマルチメディアメッセージを提供してもよい。ある実施形態において、二次広告は、広告に対するポインタ、又はリンクを含んでいてもよい。他の実施形態において、二次広告は、初期広告を二次広告に変換（transcode）したものでもよいし、又は初期形式から二次形式に初期広告を変換してもよい。例えば、スピーチ広告を、該スピーチ広告と同様のコンテンツを有するテキスト広告に変換してもよい。
【００１４】
ユーザに提供される二次広告は、ユーザから受信した応答に基づいていてもよい。ある実施形態において、応答は、ユーザによって要求された広告のIDを含んでいてもよい。例えば、上記IDは、応答が送信された特定広告サーバに由来する（例えば、インターネットプロトコル（IP）アドレスによって識別される）ものであってもよい。例えば、広告会社は、いくつか異なる広告を実施してもよいし、且つ広告サーバの応答アドレスを、どの広告が要求されたかを区別するために使用してもよい。他の実施形態において、応答は、ID、又は特定の広告を識別するための符号語（code word）を含んでいてもよい。更にさらなる実施形態において、広告自身が、二次広告を要求するためのインターフェースを含んでいてもよい。広告自身が、二次広告を要求するために使用されるインターフェースに基づいて、自動的に広告を識別することが可能となる。
【００１５】
図２は、初期広告を提供することができる広告サーバ１００の例を示すブロック図である。上記広告サーバ１００は、初期広告作成インターフェース２００を具備していてもよい。上記広告作成インターフェース２００は、例えばテレビ広告、ラジオ広告、出版広告、及びウェブベース広告などを含む様々な形式で、初期広告を作成するため広告主１００にインターフェースを提供してもよい。上記初期広告作成インターフェース２００を用いて広告主１１０によって作成された初期広告を、広告ストア２１０に保管してもよい。
【００１６】
ある実施形態において、広告サーバ１００は、二次広告作成インターフェース２２０も具備していてもよい。上記二次広告作成インターフェース２２０は、広告主１１０から二次広告情報を受信してもよい。上記二次広告情報は、スタイルに関する情報、及び二次広告のコンテンツを含んでいてもよいし、どの初期広告が二次広告に関連付けられているかに関する情報を含んでいてもよい。
【００１７】
ある実施形態において、二次広告を、SMS又はXMS形式で提供してもよい。SMS形式の二次広告のコンテンツは、１６０文字未満に制限されうる。他の実施形態において、二次広告を、MMS形式で提供してもよい。モバイルデバイスのための別に通信プロトコルを使用してもよい。
【００１８】
ある実施形態において、二次広告は、テキストベースのクーポンを含んでいてもよい。上記テキストベースのクーポンは、広告に関連する商品又はサービスのディスカウントの提供を容易にすることを可能とする。様々な実施形態において、ユーザは、供給者（provider）にメッセージを物理的に見せることによって、テキストベースのクーポンを供給者に示すことが可能となる。他の実施形態において、ユーザは、テキストベースのクーポンを印刷してもよいし、且つテキストベースのクーポンによって指定されたディスカウントを受けるため、供給者にクーポンを持っていってもよい。
【００１９】
ある実施形態において、二次広告は、クーポンを確認するために供給者がスキャンすることができるグラフィカルなバーコードのクーポンを含んでいてもよい。ある実施形態において、グラフィカルなバーコードのクーポンの価値は、ユーザにとって謎のままとしているかもしれないし、該クーポンを読み取るため供給者にグラフィカルなバーコードのクーポンを持っていっていくことによって読み取りのみしてもらうかもしれない。つまり、上記グラフィカルなバーコードのクーポンは、ユーザが受け取る資格を有しているディスカウントについて識別することが可能となる。他の実施形態において、上記グラフィカルなバーコードのクーポンに、クーポンの価値に関するテキスト表示、又はグラフィカルな表示が付随していてもよい。
【００２０】
さらなる実施形態において、チェックアウト期間中のモバイルデバイス上のクーポンの選択は、モバイルデバイスが信号を出力することによって起こるものであってもよい。上記信号を、チェックアウトシステムで使われる受信機によって受信してもよいし、且つ該チェックアウトシステムに決済の際にクーポンを入力させるようにしてもよい。つまり、ユーザは、モバイルデバイスのクーポンを選択することによって、電子クーポンをチェックアウトシステムに伝えることが可能となる。様々な実施形態において、上記信号は、携帯電話の信号、ブルートゥース(登録商標)の信号、赤外線の信号などの無線信号であってもよい。
【００２１】
ある実施形態において、二次広告は、アクショナブル広告（actionable advertisement）であってもよい。アクショナブル広告は、ユーザがユーザインターフェースを介して広告を選択できるようにすることを可能とする。二次広告は、アクショナブル広告によって記載された機能を実施するためユーザデバイス上のアプリケーションとの仲立ちをする。例えば、上記二次広告は、アクショナブルアドレスを含んでいてもよい。アクショナブルアドレスを選択すると、該アドレスに関連する場所のマップを提供するため、及び／又は装置の現在位置から該アドレスによって特定できる場所への道順を提供するため、ユーザデバイスに該デバイス上のナビゲーションアプリケーションにアクセスさせるようにしてもよい。他の実施形態において、アクショナブル広告は、電子クーポンであってもよい。電子クーポンを選択すると、上記デバイスがＰＯＳ端末によって受信できるように電子信号を発するようにする。該ＰＯＳ端末は、自動的に電子信号を処理し、及び決済時のディスカウント又はリワード特典（rewards benefit）の適用を行う。
【００２２】
上記二次広告作成インターフェース２２０は、広告ストア２１０に二次広告を保管することが可能である。上記に示した実施形態において、二次広告を、初期広告として同データストア２１０に保管してもよい。また一方で、他の実施形態において、初期広告を、二次広告とは別に保管してもよい。ある実施形態において、二次広告をそれに関連する初期広告にリンクさせる情報を二次広告が含むように、二次広告を保管してもよい。
【００２３】
ある実施形態において、広告サーバ１００は、初期広告配信モジュール２３０を具備してもよい。上記初期広告配信モジュール２３０は、パブリッシャ１２０から広告のための要求を受け取ることが可能である。ある実施形態において、要求は、広告対象層、又はテーマの情報を含んでいてもよい。上記実施形態において、初期広告配信モジュール２３０は、上記要求に含まれる広告対象層、テーマ、又は位置の情報に基づき広告ストア２１０から広告を選択してもよい。例えば、位置情報は、上記要求を送信したユーザに関連するエリアコードに基づいていてもよいし、且つユーザへ提供される広告は、ユーザの居る場所に基づいて対象を定めてもよい。ある実施形態において、選択された初期広告を、パブリッシャ１２０へ返信してもよい。他の実施形態において、選択された初期広告を、ユーザ１３０に直接伝えてもよい。
【００２４】
選択された初期広告がパブリッシャ１２０に送信される上記実施形態において、パブリッシャ１２０は、ユーザ１３０に送信されたコンテンツに、選択された初期広告を後付したり、先付けしたり、又は各処に散りばめたりしてもよい。例えば、コンテンツがテレビ番組を含んでいたならば、上記初期広告を、パブリッシャによってテレビ番組内の特定の時間帯に挿入してもよい。他の実施形態において、上記コンテンツが特定チームのフットボールのスコアを含んでいるならば、運動着、又はスポーツ用品のための対象初期広告を、ユーザ１３０に送信されたコンテンツと一緒に含んでもいてもよい。
【００２５】
ユーザ１３０に送信された上記初期広告は、初期広告に関連する二次広告を要求するための命令を含んでいてもよい。例えば、上記命令は、初期広告に関連する二次広告を要求するため、広告サーバに送信された多数の要求にある符号語、又は番号を備えていてもよい。上記符号語、又は番号は、ユーザが広告サーバ１００から二次広告を要求している初期広告を識別することを可能にする。広告サーバに符号語、又は番号を送信した後、デバイスは、初期広告に関連する二次広告を受信する。他の実施形態において、上記初期広告を、応答を送信した際のアドレスに基づいて識別してもよい。更に他の実施形態において、上記初期広告は、二次広告を要求するためのインターフェースを具備していてもよいし、且つ該インターフェースは、ユーザが自身のモバイルデバイスIDをインターフェースに入力している場合、初期広告のIDを送信された要求に付加してもよい。
【００２６】
ユーザ１３０が広告サーバ１００に応答を返す場合、上記応答を、二次広告配信モジュール２４０によって解析してもよい。上記二次広告配信モジュール２４０は、応答に関連するモバイルデバイスIDを抽出する処理をしてもよい。上記モバイルデバイスIDを、二次広告を配信する二次広告配信モジュール２４０が使用してもよい。ある実施形態において、二次広告配信モジュール２４０は、どの二次広告をユーザが要求しているかを決定するため、応答に関連するテキストを使用してもよい。上記実施形態において、二次広告配信モジュール２４０は、応答から抽出したテキストに基づいて、応答に関連する二次広告を取り出してもよい。
【００２７】
ある実施形態において、応答に関連する二次広告を、例えば広告ストア２１０から取り出してもよい。他の実施形態において、（例えば、広告ストア２１０から初期広告を取り出すことによって）広告が初期に提供された形式からSMS、又はMMSメッセージ形式に初期広告を変換するため、初期広告変換モジュール２５０を使用してもよい。上記二次広告配信モジュール２４０は、取り出した二次広告をユーザ１３０に伝えてもよい。上記二次広告は、例えば、ユーザが応答した初期広告のテキスト形式表現を含んでいてもよい。
【００２８】
ある実施形態において、広告サーバ１００は、統計収集モジュール２６０を具備していてもよい。上記実施形態において、二次広告配信モジュール２４０は、二次広告をユーザに提供する際、統計収集モジュール２６０に通知してもよい。上記通知は、どのテキストページがユーザに提供されたかに関する情報を含んでいてもよい。ある実施形態において、例えばユーザが関連データを収集することを選択しない限り、ユーザ１３０に関連するID情報（例えば、モバイルデバイスIDを含む）を、統計収集モジュール２６０によって取得したデータから削除（strip）してもよい。
【００２９】
上記統計収集モジュール２６０は、セッション情報を分析してもよいし、且つ二次広告配信モジュール２４０によって提供された二次広告に関連するナビゲーション統計データを導出してもよい。ある実施形態において、ナビゲーション統計データは、統計収集モジュール２６０を介して広告主にとって都合がよい形に作り変えられてもよい。上記統計収集モジュール２６０は、広告主１１０からの統計データ要求を受信してもよい。上記要求は、統計収集モジュール２６０によって追跡された統計データのうちどれを広告主１１０に提供すべきかを示すものであってもよい。統計データ要求に対する応答において、上記統計収集モジュール２６０は、上記要求に関連する統計データを取り出してもよいし、広告主１１０への表示にために統計データの書式を整えてもよい。
【００３０】
図３は、二次広告をユーザに提供する方法３００の例を示すフローチャートである。段階３１０では、初期広告をユーザに提供する。上記初期広告を、例えば初期広告配信モジュール（例：図２の初期広告配信モジュール２３０）を具備する広告サーバ（例：広告サーバ１００）によって、ユーザに提供してもよい。他の実施形態において、初期広告を、広告サーバの運用から独立したパブリッシャによって提供してもよい。上記初期広告は、どのように広告サーバから二次広告を要求するかを記載した情報を含んでいてもよい。
【００３１】
段階３２０では、ユーザからの応答を受信する。上記応答を、二次広告配信モジュール（例：図２の二次広告配信モジュール２４０）によって、受信してもよい。ある実施形態において、応答は、ユーザに関連するモバイルデバイスIDを含んでいてもよい。上記モバイルデバイスIDは、メッセージをモバイルデバイスIDに宛てて送信する場合に該メッセージをモバイルデバイスIDと関連するモバイルデバイスに送るように、モバイルデバイスを識別することを可能とする。上記応答は、モバイルデバイスに対して二次広告を送信するための要求を提供してもよい。ある実施形態において、応答は、ユーザによって要求された二次広告を示すものも含んでいてもよい。例えば、上記応答は、初期広告、及び／又は二次広告を識別するためのコードを含んでいてもよい。他の実施形態において、応答を、初期広告によって提供されるインターフェースを介して入力してもよいし、且つ該インターフェースは、初期広告、及び／又は応答要求された二次広告に関するIDを付加してもよい。更にさらなる実施形態において、応答先のアドレスが、初期広告、及び／又はユーザに要求された二次広告を識別を可能としてもよい。
【００３２】
段階３３０では、ユーザ宛の二次広告を生成する。ユーザ宛の上記二次広告は、例えば二次広告配信モジュール（例：二次広告配信モジュール）によって、生成される。上記二次広告は、初期広告のフォーマット変換であってもよい。ある実施形態において、二次広告を、広告ストア（例：図２の広告ストア２１０）から取り出してもよい。他の実施形態において、二次広告を、初期広告変換モジュール（例：図２の初期広告変換モジュール２５０）によって生成してもよい。上記二次広告を、応答内にあるユーザから受信したモバイルデバイスIDに宛ててもよい。或いは、上記メッセージは、デバイスID宛でなければ、ユーザに宛ててもよい。
【００３３】
段階３４０では、二次広告をユーザに提供する。上記二次広告を、例えば二次広告配信モジュール（図２の二次広告配信モジュール２４０）によって、ユーザに提供してもよい。ある実施形態において、二次広告は、二次広告に関連する送信先アドレスとしてモバイルデバイスIDを用いてメッセージを送信することによって、ユーザに関連するモバイルデバイスに提供される。上記二次広告は、二次広告を含んでいてもよいし、且つユーザによってその後のアクションで二次広告を保存することが可能となることを容易にしてもよい。
【００３４】
本願明細書に記載された主題における様々な態様、及び本願明細書に記載された機能操作の全てを、デジタル電子回路によって、又は本願明細書に記載された構造、前記構造と均等であるものを含むコンピュータソフトウェア、ファームウェア、もしくはハードウェアによって、又はそれらのうち一又は二以上を組み合わせたものによって実装してもよい。本願明細書に記載された主題における実施形態を、一又は二以上のコンピュータプログラム製品として実装してもよい。すなわち、データ処理装置によって実行するための、又はデータ処理装置の操作を制御するべく実行するためのコンピュータ読取可能メディア上にエンコードされたコンピュータプログラム命令の一又は二以上のモジュールとして実装してもよい。上記コンピュータ読取可能メディアは、機械可読ストレージデバイス、機械可読ストレージ回路基板、メモリデバイス、機械可読伝播信号をもたらす物質の合成物、又はそれらの一又は二以上の組み合わせであってもよい。“データ処理装置”という用語は、データ処理のための全装置、全デバイス、及び全機械を包含する。一例として、プログラマブルプロセッサ、コンピュータ、又はマルチプルプロセッサもしくはマルチコンピュータを含んでいる。上記装置は、上記に加えて問題となっているコンピュータプログラムのための実行環境を作成するハードウェア、コードを具備していてもよい。例えば、プロセッサファームウェア、プロトコルスタック、データベース管理システム、オペレーティングシステム、又はそれらの一又は二以上の組み合わせを構成するコードを具備していてもよい。伝播信号は、人為的に発生された信号である。例えば、機械生成された電気信号、光信号、電磁信号であり、その信号は適切な受信装置へ送信するための情報をエンコードするために生成される。
【００３５】
コンピュータプログラム（プログラム、ソフトウェア、ソフトウェアアプリケーション、スクリプト、又はコードとしても知られる）を、コンパイル型又はインタープリタ型言語を含むあらゆる形式のプログラミング言語で記述されていてもよいし、且つスタンドアロンプログラム、又はモジュール、コンポーネント、サブルーチン、もしくはコンピュータ環境中のユーザにとって適切な他のユニットを含むあらゆる形式で展開してもよい。コンピュータプログラムは、ファイルシステム中のファイルと必ずしも一致する必要はない。プログラムを、他のプログラム、又はデータ（例：マークアップ言語ドキュメントに保存された一又は二以上のスクリプト）が保持するファイルの一部に、問題となっているプログラムに設けられた一ファイルに、又は多数の協調的ファイル（例：一又は二以上のモジュール、サブプログラム、又はコードの一部を格納するファイル）に保存してもよい。コンピュータプログラムを、あるコンピュータ上、又はあるサイトにもしくは多数のサイトにわたって分散されて設置され、及び通信ネットワークによって相互接続された複数のコンピュータ上で実行するために展開してもよい。
【００３６】
コンピュータプログラムを実行するのに適したプロセッサは、一例として、汎用マイクロプロセッサ及び専用マイクロプロセッサ双方、及びあらゆる種類のデジタルコンピュータのあらゆる一又は二以上のプロセッサである。一般的に、プロセッサは、ROM又はRAM、又はその双方から、命令とデータを受信する。コンピュータの必須要素は、命令を実行するためのプロセッサと、命令とデータを保存するための一又は二以上のメモリデバイスである。一般的に、コンピュータは、データを保存するための一又は二以上のマスストレージデバイスをも具備し、又はストレージデバイスからデータを受信したり、又はストレージデバイスにデータを送信したり、又はそのどちらも行うことが動作可能なように接続される。例えば、マスストレージデバイスは、磁気ディスク、光磁気ディスク、又は光ディスクのようなデバイスである。しかしながら、コンピュータは、上記デバイスを有する必要はない。その上、コンピュータを、別のデバイスを組み込んでもよい。例えば、２〜３例を挙げると、携帯電話、個人情報端末（PDA）、携帯オーディオプレーヤ、全地球測位システム（GPS）受信機である。コンピュータプログラムの命令とデータを保存するのに適したコンピュータ読取可能メディアは、不揮発性メモリ、不揮発性メディア、及び不揮発性メモリデバイスのあらゆる形式を含む。その例としては、EPROM、 EEPROM、及びフラッシュメモリ装置のような半導体メモリデバイス、内蔵ハードディスク、又はリムーバルディスクのような磁気ディスク、光磁気ディスク、及びCD-ROMとDVD-ROMディスクを含む。上記プロセッサと上記メモリを、専用論理回路によって補完してもよいし、専用論理回路に組み込んでもよい。
【００３７】
ユーザとの相互作用をするための手段を提供するため、本願明細書に記載された主題における実施形態は、ユーザに情報を表示するために、例えばCRT（陰極線管）又はLCD（液晶ディスプレイ）モニタのようなディスプレイデバイスと、キーボードと、例えばマウス又はトラックボールのようなコンピュータへの入力をユーザができるようにするポインティングデバイスとを有するコンピュータ上に実装してもよい。他の種類のデバイスを、同様にユーザとの相互作用をする手段として提供するために用いてもよい。例えば、ユーザに提供されるフィードバックは、視覚フィードバック、聴覚フィードバック、触覚フィードバックのようなあらゆる形式の感覚フィードバックであってもよいし、且つユーザからの入力を、音響入力、音声入力、又は触覚入力を含むあらゆる形式で受信してもよい。
【００３８】
本願明細書に記載された主題における様々な態様は、データサーバのようなバックエンド部、アプリケーションサーバのようなミドルウェア部、本願明細書に記載された主題における実施形態とユーザがやりとりすることを可能となるグラフィカルユーザインターフェース又はウェブブラウザを有するクライアントコンピュータのようなフロントエンド部、又は前記バックエンド部、ミドルウェア部、もしくはフロントエンド部のうち一又は二以上の如何なる組み合わせを含むコンピュータシステムにより実現してもよい。上記システムの構成部を、通信ネットワークのようなデジタルデータ通信のあらゆる形式又はメディアによって相互接続してもよい。通信ネットワークの例としては、ローカルエリアネットワーク（LAN）、及びインターネットのようなワイドエリアネットワーク（WAN）がある。
【００３９】
本願明細書は、多くの詳述を含む一方、これらの詳述は、特許請求の範囲を限定するものとして解釈されるべきではなく、むしろ主題における特定の実施形態を記載したものとして解釈すべきである。個々の実施形態との関連で本願明細書に記載されたある特徴を、単独の実施形態の組み合わせにより実現してもよい。反対に、単独の実施形態との関連で記載された様々な特徴を、別々に複数の実施形態により実現してもよいし、又はあらゆる適切な副結合（subcombination）により実現してもよい。その上、特徴がある組み合わせにおいて作用するものとして上述され、たとえそのように冒頭で主張されていたとしても、主張した組み合わせが提供している一又は二以上の特徴を、場合によっては、前記組み合わせから切除してもよい。前記主張した組み合わせは、副結合、又は副結合の変形を対象としていてもよい。
【００４０】
同様に、操作が特定の手順で図面に記載されているとはいえ、前記操作を、図示された特定の手順で又は逐次的な順序で実施される必要があるものとして、もしくは望ましい成果を達成するために図示された全操作が実施される必要があるものとして解釈すべきではない。ある状況においては、マルチタスク処理、及び並列処理が有利となる可能性がある。その上、上記の実施形態における様々なシステム構成部の区分は、全ての実施形態において同様の区分をする必要があるものとして解釈すべきでではないし、且つ記載されたプログラム部及びシステムを、一般的に一ソフトウェア製品に統合してもよい、又は多数のソフトウェア製品にパッケージ化してもよいと解釈すべきである。
【００４１】
本願明細書における発明の要旨は、特定の実施形態に関して記載されている。しかし、他の実施形態で実現してもよいし、且つ以降の特許請求の範囲にて存在している。例えば、特許請求の範囲で主張される動作を、異なる順番で実施してもよいし、望ましい成果を達成しさえすればよい。一例として、添付図面に記載された処理は、望ましい成果を達成するために、図示された特定の手順又は逐次的な順序が必ずしも必要となるわけではない。ある実施形態において、マルチタスク処理、及び並列処理が有利となる可能性がある。他の変形は、以降の特許請求の範囲に存在している。
【００４２】
上記、及び他の実施形態は、以降の特許請求の範囲に存在している。
【符号の説明】
【００４３】
１００  広告サーバ
１１０  広告主
１２０  パブリッシャ
１３０  ユーザ
１４０  ネットワーク
【図１】
2018077916.tif 000003
【図２】
2018077916.tif 000004
【図３】
2018077916.tif 000005
【外国語明細書】
2018077916000001.pdf